(57)【要約】【課題】本発明の実施例はサブキャリアのビット割り当て及び電力割り当ての装置、方法及び電子機器を提供する。【解決手段】該装置は、マルチキャリア通信システムにおける各サブキャリアの信号対雑音比に基づいて、各サブキャリアに対応するビット数を算出するビット数算出部と、算出された各サブキャリアに対応するビット数、及び該マルチキャリア通信システムの通信時の位相雑音に基づいて、各サブキャリアにビット数を割り当てるビット数割り当て部であって、割り当てられたビット数は各サブキャリアの信号変調フォーマットに関連する、ビット数割り当て部と、各サブキャリアに割り当てられたビット数に基づいて、各サブキャリアに対応する電力を割り当てる電力割り当て部とを含む。本実施例によれば、マルチキャリア通信システムの伝送性能を向上できる。【選択図】図６
2018085717.tif 000002
【特許請求の範囲】
【請求項１】
サブキャリアのビット割り当て及び電力割り当ての装置であって、
マルチキャリア通信システムにおける各サブキャリアの信号対雑音比に基づいて、各サブキャリアに対応するビット数を算出するビット数算出手段と、
前記ビット数算出手段により算出された各サブキャリアに対応するビット数、及び該マルチキャリア通信システムの通信時の位相雑音に基づいて、各サブキャリアにビット数を割り当てるビット数割り当て手段であって、割り当てられたビット数は各サブキャリアの信号変調フォーマットに関連する、ビット数割り当て手段と、
前記ビット数割り当て手段により各サブキャリアに割り当てられたビット数に基づいて、各サブキャリアに対応する電力を割り当てる電力割り当て手段と、を含む、装置。
【請求項２】
前記ビット数割り当て手段は、
前記ビット数算出手段により算出された各サブキャリアのビット数を量子化して、整数ビット数を取得するビット数量子化手段と、
前記整数ビット数と位相雑音に基づいて設定された所定閾値との比較結果に基づいて、前記整数ビット数を調整し、調整後のビット数を、前記ビット数割り当て手段により割り当てられたビット数とするビット数調整手段と、を含む、請求項１に記載の装置。
【請求項３】
前記位相雑音に基づいて前記所定閾値を設定する閾値設定手段、をさらに含む、請求項２に記載の装置。
【請求項４】
前記閾値設定手段は、
前記位相雑音によるコンステレーションの回転角度、及び該サブキャリアに対応するコンステレーションにおけるコンステレーション点の移動可能な最大所定距離に基づいて、前記コンステレーションにおけるコンステレーション点と円心との最遠距離を算出する算出サブ手段と、
最遠距離と変調フォーマットとの対応関係、及び前記最遠距離に基づいて、前記変調フォーマットを設定し、設定された前記変調フォーマットに対応するビット数を前記所定閾値とする設定サブ手段と、を含む、請求項３に記載の装置。
【請求項５】
前記位相雑音に基づいて、前記電力割り当て手段により各サブキャリアに割り当てられた電力を調整する電力調整手段、をさらに含む、請求項１に記載の装置。
【請求項６】
調整前の電力に対する調整後の電力の比は
(外１)
2018085717.tif 000007
であり、θは前記位相雑音による該サブキャリアのコンステレーションの回転角度を表し、Ｒは前記サブキャリアに対応するコンステレーションにおけるコンステレーション点と円心との最遠距離を表し、ｒ１は調整前の前記サブキャリアのコンステレーションにおけるコンステレーション点の周辺の信号の分布半径を表す、請求項５に記載の装置。
【請求項７】
請求項１乃至６の何れかに記載の装置を含む、電子機器。
【請求項８】
サブキャリアのビット割り当て及び電力割り当ての方法であって、
マルチキャリア通信システムにおける各サブキャリアの信号対雑音比に基づいて、各サブキャリアに対応するビット数を算出するステップと、
算出された各サブキャリアに対応するビット数、及び該マルチキャリア通信システムの通信時の位相雑音に基づいて、各サブキャリアにビット数を割り当てるステップであって、割り当てられたビット数は各サブキャリアの信号変調フォーマットに関連する、ステップと、
各サブキャリアに割り当てられたビット数に基づいて、各サブキャリアに対応する電力を割り当てるステップと、を含む、方法。
【請求項９】
各サブキャリアにビット数を割り当てるステップは、
算出された各サブキャリアのビット数を量子化して、整数ビット数を取得するステップと、
前記整数ビット数と位相雑音に基づいて設定された所定閾値との比較結果に基づいて、前記整数ビット数を調整し、調整後のビット数を、割り当てられたビット数とするステップと、を含む、請求項８に記載の方法。
【請求項１０】
前記位相雑音に基づいて前記所定閾値を設定するステップ、をさらに含む、請求項９に記載の方法。
【請求項１１】
前記所定閾値を設定するステップは、
前記位相雑音によるコンステレーションの回転角度、及び該サブキャリアに対応するコンステレーションにおけるコンステレーション点の移動可能な最大所定距離に基づいて、前記コンステレーションにおけるコンステレーション点と円心との最遠距離を算出するステップと、
最遠距離と変調フォーマットとの対応関係、及び前記最遠距離に基づいて、前記変調フォーマットを設定し、設定された前記変調フォーマットに対応するビット数を前記所定閾値とするステップと、を含む、請求項１０に記載の方法。
【請求項１２】
前記位相雑音に基づいて、各サブキャリアに割り当てられた電力を調整するステップ、をさらに含む、請求項８に記載の方法。
【請求項１３】
調整前の電力に対する調整後の電力の比は
(外２)
2018085717.tif 000008
であり、θは前記位相雑音による該サブキャリアのコンステレーションの回転角度を表し、Ｒは前記サブキャリアに対応するコンステレーションにおけるコンステレーション点と円心との最遠距離を表し、ｒ１は調整前の前記サブキャリアのコンステレーションにおけるコンステレーション点の周辺の信号の分布半径を表す、請求項１２に記載の方法。
【発明の詳細な説明】
【技術分野】
【０００１】
本発明は、通信技術の分野に関し、特にサブキャリアのビット割り当て及び電力割り当ての方法、装置及び電子機器に関する。
【背景技術】
【０００２】
マルチキャリア通信システムは、効率的な光通信システムであり、その代表として、離散マルチトーン変調（ＤＭＴ：Ｄｉｓｃｒｅｔｅ  Ｍｕｌｔｉ−Ｔｏｎｅ）システムがある。マルチキャリア通信システムでは、通常、信号伝送を行うためにチャネルを複数のサブキャリアに分割する必要がある。
【０００３】
マルチキャリア通信システムでは、各サブキャリアの信号対雑音比（ＳＮＲ：ｓｉｇｎａｌ  ｔｏ  ｎｏｉｓｅ  ｒａｔｉｏ）に基づいて各サブキャリアに異なるビット数を割り当てることができ、該ビット数が該サブキャリアの変調モードを決定するものであり、該サブキャリアの変調モードに基づいて該サブキャリアに電力を割り当てる。
【０００４】
なお、上述した技術背景の説明は、本発明の技術案を明確、完全に理解させるための説明であり、当業者を理解させるために記述されているものである。これらの技術案は、単なる本発明の背景技術部分として説明されたものであり、当業者により周知されたものではない。
【発明の概要】
【発明が解決しようとする課題】
【０００５】
本発明の発明者の発見によると、従来技術では、各サブキャリアにビット数及び電力を割り当てる際に、マルチキャリア通信システムにおける位相雑音の影響が考慮されていないため、マルチキャリア通信システムの伝送性能が低下してしまう。
【０００６】
本発明の実施例は、マルチキャリア通信システムにおける位相雑音に基づいて各サブキャリアについてビット割り当て（ｂｉｔ  ａｌｌｏｃａｔｉｏｎ）を行うことで、マルチキャリア通信システムの伝送性能を向上できる、サブキャリアのビット割り当て及び電力割り当ての方法、装置及び電子機器を提供する。
【課題を解決するための手段】
【０００７】
本発明の実施例の第１態様では、サブキャリアのビット割り当て及び電力割り当ての装置であって、マルチキャリア通信システムにおける各サブキャリアの信号対雑音比に基づいて、各サブキャリアに対応するビット数を算出するビット数算出手段と、前記ビット数算出手段により算出された各サブキャリアに対応するビット数、及び該マルチキャリア通信システムの通信時の位相雑音に基づいて、各サブキャリアにビット数を割り当てるビット数割り当て手段であって、割り当てられたビット数は各サブキャリアの信号変調フォーマットに関連する、ビット数割り当て手段と、前記ビット数割り当て手段により各サブキャリアに割り当てられたビット数に基づいて、各サブキャリアに対応する電力を割り当てる電力割り当て手段と、を含む、装置を提供する。
【０００８】
本発明の実施例の第２態様では、サブキャリアのビット割り当て及び電力割り当ての方法であって、マルチキャリア通信システムにおける各サブキャリアの信号対雑音比に基づいて、各サブキャリアに対応するビット数を算出するステップと、算出された各サブキャリアに対応するビット数、及び該マルチキャリア通信システムの通信時の位相雑音に基づいて、各サブキャリアにビット数を割り当てるステップであって、割り当てられたビット数は各サブキャリアの信号変調フォーマットに関連する、ステップと、各サブキャリアに割り当てられたビット数に基づいて、各サブキャリアに対応する電力を割り当てるステップと、を含む、方法を提供する。
【０００９】
本発明の実施例の第３態様では、実施例の第１態様のサブキャリアのビット割り当て及び電力割り当ての装置を含む、電子機器を提供する。
【００１０】
本発明の実施例の効果としては、マルチキャリア通信システムの伝送性能を向上できる。
【００１１】
本発明の特定の実施形態は、後述の説明及び図面に示すように、詳細に開示され、本発明の原理を採用されることが可能な方式を示している。なお、本発明の実施形態は、範囲上には限定されるものではない。本発明の実施形態は、添付されている特許請求の範囲の主旨及び内容の範囲内、各種の改変、修正、及び同等的なものが含まれる。
【００１２】
ある一つの実施形態に説明及び又は示されている特徴は、同一又は類似の方式で一つ又は多くの他の実施形態に使用されてもよく、他の実施形態における特徴と組み合わせてもよく、他の実施形態における特徴を代替してもよい。
【００１３】
なお、用語「包括／含む」は、本文に使用される際に、特徴、要素、ステップ又は構成要件の存在を意味し、一つ又は複数の他の特徴、要素、ステップ又は構成要件の存在又は追加を排除するものではない。
【図面の簡単な説明】
【００１４】
ここで含まれる図面は、本発明の実施例を理解させるためのものであり、本明細書の一部を構成し、本発明の実施例を例示するためのものであり、文言の記載と合わせて本発明の原理を説明する。なお、ここに説明される図面は、単なる本発明の実施例を説明するためのものであり、当業者にとって、これらの図面に基づいて他の図面を容易に得ることができる。
【図１】本発明の実施例１のサブキャリアのビット割り当て及び電力割り当ての装置を示す図である。
【図２】本発明の実施例１のビット数割り当て部を示す図である。
【図３】本発明の実施例１の電力調整部による調整前後のコンステレーション点の周辺の信号の分布状況を示す図である。
【図４】本発明の実施例１の閾値設定部を示す図である。
【図５（Ａ）】マルチキャリア通信システムの本発明の実施例１の装置及び従来技術の装置のそれぞれを用いて行われたビット割り当て及び電力割り当ての効果を示す図である。
【図５（Ｂ）】マルチキャリア通信システムの本発明の実施例１の装置及び従来技術の装置のそれぞれを用いて行われたビット割り当て及び電力割り当ての効果を示す図である。
【図５（Ｃ）】マルチキャリア通信システムの本発明の実施例１の装置及び従来技術の装置のそれぞれを用いて行われたビット割り当て及び電力割り当ての効果を示す図である。
【図６】本発明の実施例２のサブキャリアのビット割り当て及び電力割り当ての方法を示す図である。
【図７】本発明の実施例２の所定閾値の設定方法を示す図である。
【図８】本発明の実施例３の電子機器を示す図である。
【発明を実施するための形態】
【００１５】
本発明の上記及びその他の特徴は、図面及び下記の説明により理解できるものである。明細書及び図面では、本発明の特定の実施形態、即ち本発明の原則に従う一部の実施形態を表すものを公開している。なお、本発明は説明される実施形態に限定されず、本発明は、特許請求の範囲内の全ての修正、変更されたもの、及び均等なものを含む。
【００１６】
＜実施例１＞
本発明の実施例１は、マルチキャリア通信システムに用いられる各サブキャリアにビットを割り当て、電力を割り当てるためのサブキャリアのビット割り当て及び電力割り当ての装置を提供する。
【００１７】
図１は本発明の実施例１のサブキャリアのビット割り当て及び電力割り当ての装置を示す図である。図１に示すように、装置１００は、ビット数算出部１０１、ビット数割り当て部１０２及び電力割り当て部１０３を含んでもよい。
【００１８】
本実施例では、ビット数算出部１０１は、マルチキャリア通信システムにおける各サブキャリアの信号対雑音比に基づいて、各サブキャリアに対応するビット数を算出する。ビット数割り当て部１０２は、ビット数算出部１０１により算出された各サブキャリアに対応するビット数、及び該マルチキャリア通信システムの通信時の位相雑音に基づいて、各サブキャリアにビット数を割り当てる。ここで、割り当てられたビット数は各サブキャリアの信号変調フォーマットに関連する。電力割り当て部１０３は、ビット数割り当て部１０２により各サブキャリアに割り当てられたビット数に基づいて、各サブキャリアに、対応する電力を割り当てる。
【００１９】
本発明の実施例によれば、マルチキャリア通信システムにおける位相雑音に基づいて、各サブキャリアについてビット割り当て（ｂｉｔ  ａｌｌｏｃａｔｉｏｎ）を行うことができる。これによって、マルチキャリア通信システムの伝送性能を向上できる。
【００２０】
本実施例では、ビット数算出部１０１は、各サブキャリアの信号対雑音比（ＳＮＲ）に基づいて各サブキャリアについてそれに対応するビット数を算出でき、通常、ビット数算出部１０１により算出されたビット数は整数ではない。ビット数算出部１０１によるビット数の算出方法は従来技術を参照してもよく、本実施例ではその説明が省略される。
【００２１】
図２は本発明の実施例のビット数割り当て部を示す図である。図２に示すように、ビット数割り当て部１０２は、ビット数量子化部２０１及びビット数調整部２０２を含んでもよい。
【００２２】
本実施例では、ビット数量子化部２０１は、ビット数算出部１０１により算出された各サブキャリアのビット数を量子化して、整数ビット数を取得する。ビット数調整部２０２は、該整数ビット数と位相雑音に基づいて設定された所定閾値との比較結果に基づいて、該整数ビット数を調整し、調整後のビット数を、ビット数割り当て部１０２により割り当てられたビット数とする。
【００２３】
本実施例では、ビット数量子化部２０１による量子化処理の方法は従来技術を参照してもよく、本実施例ではその説明が省略される。
【００２４】
本実施例では、ビット数調整部２０２は、整数ビット数と所定閾値との比較結果に基づいて、整数ビット数を調整してもよい。例えば、ビット数調整部２０２は、該整数ビット数が該所定閾値よりも大きい場合、該整数ビット数を該所定閾値以下の所定のビット数に調整し、該整数ビット数が該所定閾値以下の場合、調整後のビット数が該整数ビット数に等しくなるように設定してもよい。なお、ビット数調整部２０２による調整方法はこれに限定されない。
【００２５】
本実施例では、電力割り当て部１０３は、ビット数割り当て部１０２により各サブキャリアに割り当てられたビット数に基づいて、各サブキャリアに、対応する電力を割り当てることができる。電力割り当て部１０３による電力割り当ての具体的な方法は従来技術を参照してもよく、本実施例ではその説明が省略される。
【００２６】
本実施例では、マルチキャリア通信システムの位相雑音により、各サブキャリアに対応するコンステレーションがコンステレーションの原点に対して回転する。各サブキャリアのビット数を調整することで、該サブキャリアに対応するコンステレーションのコンステレーション点と円心との最遠距離を小さくすることができる。これによって、コンステレーションが回転した場合であっても、コンステレーション点の周辺の信号の分布に大きなシフトが生じることを回避できるため、マルチキャリア通信システムの伝送性能を向上できる。
【００２７】
本実施例では、図１に示すように、装置１００は電力調整部１０４をさらに含んでもよい。電力調整部１０４は、該位相雑音に基づいて、電力割り当て部１０３により各サブキャリアに割り当てられた電力を調整する。
【００２８】
図３は電力調整部１０４による調整前後のコンステレーション点の周辺の信号の分布状況を示す図である。図３に示すように、（Ａ）は調整前のコンステレーション点の周辺の信号の分布状況を示し、信号の分布範囲は、コンステレーション点３０１を中心として半径がｒ１の円形であり、（Ｂ）は調整後のコンステレーション点の周辺の信号の分布状況を示し、信号の分布範囲は、コンステレーション点３０１’を中心として半径がｒ２の円形である。
【００２９】
図３に示すように、ｒ２がｒ１よりも小さいため、位相雑音によりコンステレーションが回転しても、回転後のコンステレーション点の周辺の信号の分布は元のコンステレーション点３０１を中心として半径がｒ１の円形の範囲を超えていない。従って、コンステレーション点の周辺の信号の分布に大きなシフトが生じることを回避できるため、マルチキャリア通信システムの伝送性能を向上できる。
【００３０】
本実施例では、サブキャリアに割り当てられた電力が半径に反比例するため、図３に示す調整後のコンステレーション点に対応するサブキャリアの電力は調整前の電力よりも大きく、即ち、サブキャリアに割り当てられた電力を大きくすることで、該マルチキャリア通信システムの伝送性能を向上できる。
【００３１】
例えば、調整前の電力に対する調整後の電力の比は下記の式（１）で表されてもよい。
(外１)
2018085717.tif 000003
【００３２】
ここで、θは位相雑音による該サブキャリアのコンステレーションの回転角度を表し、Ｒは該サブキャリアに対応するコンステレーションにおけるコンステレーション点と円心Ｏとの最遠距離を表す。
【００３３】
本実施例では、調整前の電力に対する調整後の電力の比は他の式で表されてもよく、本実施例は式（１）に限定されない。
【００３４】
本実施例では、図１に示すように、装置１００は閾値設定部１０５をさらに含んでもよい。閾値設定部１０５は、該位相雑音に基づいて、ビット数調整部２０２により用いられる所定閾値を設定してもよい。
【００３５】
図４は本発明の実施例の閾値設定部１０５を示す図である。図４に示すように、閾値設定部１０５は、算出サブ部４０１及び設定サブ部４０２を含む。
【００３６】
本実施例では、算出サブ部４０１は、該位相雑音によるコンステレーションの回転角度、及び該サブキャリアに対応するコンステレーションにおけるコンステレーション点の移動可能な最大所定距離に基づいて、該コンステレーションにおけるコンステレーション点と円心との最遠距離を算出してもよい。設定サブ部４０２は、最遠距離と変調フォーマットとの対応関係、及び該最遠距離に基づいて、該変調フォーマットを設定し、設定された該変調フォーマットに対応するビット数を該所定閾値としてもよい。
【００３７】
本実施例では、算出サブ部４０１は、下記の式（２）に従って現在のコンステレーションにおけるコンステレーション点と円心Ｏとの最遠距離Ｒを算出してもよい。
【００３８】
Ｒ＝ｄ／ｓｉｎ（θ）            （２）
式（２）における各記号の意味は図３の（Ｂ）の説明を参照してもよく、θは位相雑音による該サブキャリアのコンステレーションの回転角度を表し、Ｒは該サブキャリアに対応するコンステレーションにおけるコンステレーション点と円心Ｏとの最遠距離を表し、ｄは該サブキャリアに対応するコンステレーションにおけるコンステレーション点の移動可能な最大所定距離を表す。
【００３９】
本実施例では、設定サブ部４０２は、予め記憶されたリストから異なる変調フォーマットのコンステレーションにおけるコンステレーション点と円心Ｏとの最遠距離を取得し、比較を行うことで算出サブ部４０１により算出された最遠距離に対応する変調フォーマットを判断し、該変調フォーマットに対応するビット数を該所定閾値としてもよい。
【００４０】
また、本実施例では、装置１００は閾値設定部１０４を有せず、記憶部（図示せず）を有してもよく、該記憶部は、予め設定された位相雑音と所定閾値との対応リストを記憶してもよい。これによって、位相雑音に基づいて記憶部から該所定閾値を直接読み取ることができる。
【００４１】
本発明の実施例によれば、マルチキャリア通信システムにおける位相雑音に基づいて、各サブキャリアについてビット割り当て（ｂｉｔ  ａｌｌｏｃａｔｉｏｎ）を行うことができる。これによって、マルチキャリア通信システムの伝送性能を向上できる。また、マルチキャリア通信システムにおける位相雑音に基づいて、各サブキャリアについて電力割り当て（ｐｏｗｅｒ  ａｌｌｏｃａｔｉｏｎ）を行うことができる。これによって、マルチキャリア通信システムの伝送性能をさらに向上できる。
【００４２】
図５はマルチキャリア通信システムの本発明の実施例の装置及び従来技術の装置のそれぞれを用いて行われたビット割り当て及び電力割り当ての効果を示す図である。ここで、図５の（Ａ）、（Ｂ）及び（Ｃ）はそれぞれ各サブキャリアの電力割り当てを示す図、各サブキャリアのビット数割り当てを示す図、及び各サブキャリアのビット誤り率（ＢＥＲ）を示す図であり、横軸はサブキャリアのインデックス（ｓｃ  ｉｎｄｅｘ）であり、縦軸はそれぞれ電力、ビット数及びビット誤り率である。図５の（Ａ）及び（Ｂ）に示すように、８０〜１３０のサブキャリアにおいて、従来装置に比べて、本実施例の装置はより高い電力及びより少ないビット数を割り当て、図５の（Ｃ）に示すように、本実施例の装置は各サブキャリアのビット誤り率（ＢＥＲ）を著しく低減できる。
【００４３】
＜実施例２＞
本発明の実施例は、実施例１の装置１００に対応するサブキャリアのビット割り当て及び電力割り当ての方法を提供する。
【００４４】
図６は本実施例の方法を示す図であり、図６に示すように、該方法は以下のステップを含む。
【００４５】
ステップ６０１：マルチキャリア通信システムにおける各サブキャリアの信号対雑音比に基づいて、各サブキャリアに対応するビット数を算出する。
【００４６】
ステップ６０２：算出された各サブキャリアに対応するビット数、及び該マルチキャリア通信システムの通信時の位相雑音に基づいて、各サブキャリアにビット数を割り当てる。ここで、割り当てられたビット数は各サブキャリアの信号変調フォーマットに関連する。
【００４７】
ステップ６０３：各サブキャリアに割り当てられたビット数に基づいて、各サブキャリアに、対応する電力を割り当てる。
【００４８】
図６に示すように、該方法は以下のステップをさらに含んでもよい。
【００４９】
ステップ６０４：該位相雑音に基づいて、各サブキャリアに割り当てられた電力を調整する。
【００５０】
ステップ６０４において、調整前の電力に対する調整後の電力の比は上記の式（１）で表されてもよい。
【００５１】
図６に示すように、該方法は以下のステップをさらに含んでもよい。
【００５２】
ステップ６０５：該位相雑音に基づいて該所定閾値を設定する。
【００５３】
図７は本実施例の所定閾値の設定方法を示す図であり、図７に示すように、所定閾値の設定方法は以下のステップを含む。
【００５４】
ステップ７０１：該位相雑音によるコンステレーションの回転角度、及び該サブキャリアに対応するコンステレーションにおけるコンステレーション点の移動可能な最大所定距離に基づいて、該コンステレーションにおけるコンステレーション点と円心との最遠距離を算出する。
【００５５】
ステップ７０２：最遠距離と変調フォーマットとの対応関係、及び該最遠距離に基づいて、該変調フォーマットを設定し、設定された該変調フォーマットに対応するビット数を該所定閾値とする。
【００５６】
本発明の実施例によれば、マルチキャリア通信システムにおける位相雑音に基づいて、各サブキャリアについてビット割り当て（ｂｉｔ  ａｌｌｏｃａｔｉｏｎ）を行うことができる。これによって、マルチキャリア通信システムの伝送性能を向上できる。また、マルチキャリア通信システムにおける位相雑音に基づいて、各サブキャリアについて電力割り当て（ｐｏｗｅｒ  ａｌｌｏｃａｔｉｏｎ）を行うことができる。これによって、マルチキャリア通信システムの伝送性能をさらに向上できる。
【００５７】
＜実施例３＞
本発明の実施例３は電子機器をさらに提供し、該電子機器は実施例１に記載のサブキャリアのビット割り当て及び電力割り当ての装置を含む。
【００５８】
図８は本発明の実施例３の電子機器を示す図である。図８に示すように、電子機器８００は、中央処理装置（ＣＰＵ）８０１及び記憶装置８０２を含んでもよく、記憶装置８０２は中央処理装置８０１に接続される。ここで、記憶装置８０２は各種の数を記憶してもよく、サブキャリアのビット割り当て及び電力割り当てを行うためのプログラムをさらに記憶し、中央処理装置８０１の制御により該プログラムを実行する。
【００５９】
１つの態様では、サブキャリアのビット割り当て及び電力割り当ての装置の機能は中央処理装置８０１に統合されてもよい。
【００６０】
ここで、中央処理装置８０１は、マルチキャリア通信システムにおける各サブキャリアの信号対雑音比に基づいて、各サブキャリアに対応するビット数を算出し、算出された各サブキャリアに対応するビット数、及び該マルチキャリア通信システムの通信時の位相雑音に基づいて、各サブキャリアにビット数を割り当て、割り当てられたビット数は各サブキャリアの信号変調フォーマットに関連し、各サブキャリアに割り当てられたビット数に基づいて、各サブキャリアに対応する電力を割り当てるように構成されてもよい。
【００６１】
中央処理装置８０１は、さらに、算出された各サブキャリアのビット数を量子化して、整数ビット数を取得し、該整数ビット数と位相雑音に基づいて設定された所定閾値との比較結果に基づいて、該整数ビット数を調整し、調整後のビット数を、割り当てられたビット数とするように構成されてもよい。
【００６２】
中央処理装置８０１は、さらに、該位相雑音に基づいて該所定閾値を設定するように構成されてもよい。
【００６３】
中央処理装置８０１は、さらに、該位相雑音によるコンステレーションの回転角度、及び該サブキャリアに対応するコンステレーションにおけるコンステレーション点の移動可能な最大所定距離に基づいて、該コンステレーションにおけるコンステレーション点と円心との最遠距離を算出し、最遠距離と変調フォーマットとの対応関係、及び該最遠距離に基づいて、該変調フォーマットを設定し、設定された該変調フォーマットに対応するビット数を該所定閾値とするように構成されてもよい。
【００６４】
中央処理装置８０１は、さらに、該位相雑音に基づいて、各サブキャリアに割り当てられた電力を調整するように構成されてもよい。
【００６５】
中央処理装置８０１は、さらに、調整前の電力に対する調整後の電力の比は
(外２)
2018085717.tif 000004
であり、θは該位相雑音による該サブキャリアのコンステレーションの回転角度を表し、Ｒは該サブキャリアに対応するコンステレーションにおけるコンステレーション点と円心との最遠距離を表し、ｒ１は調整前の該サブキャリアのコンステレーションにおけるコンステレーション点の周辺の信号の分布半径を表すように構成されてもよい。
【００６６】
また、図８に示すように、電子機器８００は、入力出力部８０３及び表示部８０４等をさらに含んでもよい。ここで、上記構成部の機能は従来技術と類似し、ここでその説明を省略する。なお、電子機器８００は図８に示す全てのユニットを含む必要がない。また、電子機器８００は、図８に示されていないユニットをさらに含んでもよく、従来技術を参照してもよい。
【００６７】
本発明の実施例は、サブキャリアのビット割り当て及び電力割り当ての装置又は電子機器においてプログラムを実行する際に、コンピュータに、該装置又は電子機器において上記実施例２に記載のサブキャリアのビット割り当て及び電力割り当ての方法を実行させる、コンピュータ読み取り可能なプログラムをさらに提供する。
【００６８】
本発明の実施例は、コンピュータに、サブキャリアのビット割り当て及び電力割り当ての装置又は電子機器において上記実施例２に記載のサブキャリアのビット割り当て及び電力割り当ての方法を実行させるためのコンピュータ読み取り可能なプログラムを記憶する、記憶媒体をさらに提供する。
【００６９】
本発明の実施例を参照しながら説明したサブキャリアのビット割り当て及び電力割り当ての装置は、ハードウェア、プロセッサにより実行されるソフトウェアモジュール、又は両者の組み合わせで実施されてもよい。例えば、図１〜図２に示す機能的ブロック図における１つ若しくは複数、又は機能的ブロック図の１つ若しくは複数の組み合わせは、コンピュータプログラムフローの各ソフトウェアモジュールに対応してもよいし、各ハードウェアモジュールに対応してもよい。これらのソフトウェアモジュールは、実施例２に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【００７０】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置する。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【００７１】
図１〜図２に記載されている一つ以上の機能ブロックおよび/または機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲートまたはトランジスタ論理装置、ディスクリートハードウェアコンポーネント、またはそれらの任意の適切な組み合わせで実現されてもよい。図１〜図２に記載されている一つ以上の機能ブロックおよび/または機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【００７２】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【００７３】
また、上述の実施例を含む実施形態に関し、更に以下の付記を開示する。
（付記１）
サブキャリアのビット割り当て及び電力割り当ての装置であって、
マルチキャリア通信システムにおける各サブキャリアの信号対雑音比に基づいて、各サブキャリアに対応するビット数を算出するビット数算出手段と、
前記ビット数算出手段により算出された各サブキャリアに対応するビット数、及び該マルチキャリア通信システムの通信時の位相雑音に基づいて、各サブキャリアにビット数を割り当てるビット数割り当て手段であって、割り当てられたビット数は各サブキャリアの信号変調フォーマットに関連する、ビット数割り当て手段と、
前記ビット数割り当て手段により各サブキャリアに割り当てられたビット数に基づいて、各サブキャリアに対応する電力を割り当てる電力割り当て手段と、を含む、装置。
（付記２）
前記ビット数割り当て手段は、
前記ビット数算出手段により算出された各サブキャリアのビット数を量子化して、整数ビット数を取得するビット数量子化手段と、
前記整数ビット数と位相雑音に基づいて設定された所定閾値との比較結果に基づいて、前記整数ビット数を調整し、調整後のビット数を、前記ビット数割り当て手段により割り当てられたビット数とするビット数調整手段と、を含む、付記１に記載の装置。
（付記３）
前記位相雑音に基づいて前記所定閾値を設定する閾値設定手段、をさらに含む、付記２に記載の装置。
（付記４）
前記閾値設定手段は、
前記位相雑音によるコンステレーションの回転角度、及び該サブキャリアに対応するコンステレーションにおけるコンステレーション点の移動可能な最大所定距離に基づいて、前記コンステレーションにおけるコンステレーション点と円心との最遠距離を算出する算出サブ手段と、
最遠距離と変調フォーマットとの対応関係、及び前記最遠距離に基づいて、前記変調フォーマットを設定し、設定された前記変調フォーマットに対応するビット数を前記所定閾値とする設定サブ手段と、を含む、付記３に記載の装置。
（付記５）
前記位相雑音に基づいて、前記電力割り当て手段により各サブキャリアに割り当てられた電力を調整する電力調整手段、をさらに含む、付記１に記載の装置。
（付記６）
調整前の電力に対する調整後の電力の比は
(外３)
2018085717.tif 000005
であり、θは前記位相雑音による該サブキャリアのコンステレーションの回転角度を表し、Ｒは前記サブキャリアに対応するコンステレーションにおけるコンステレーション点と円心との最遠距離を表し、ｒ１は調整前の前記サブキャリアのコンステレーションにおけるコンステレーション点の周辺の信号の分布半径を表す、付記５に記載の装置。
（付記７）
付記１乃至６の何れかに記載の装置を含む、電子機器。
（付記８）
サブキャリアのビット割り当て及び電力割り当ての方法であって、
マルチキャリア通信システムにおける各サブキャリアの信号対雑音比に基づいて、各サブキャリアに対応するビット数を算出するステップと、
算出された各サブキャリアに対応するビット数、及び該マルチキャリア通信システムの通信時の位相雑音に基づいて、各サブキャリアにビット数を割り当てるステップであって、割り当てられたビット数は各サブキャリアの信号変調フォーマットに関連する、ステップと、
各サブキャリアに割り当てられたビット数に基づいて、各サブキャリアに対応する電力を割り当てるステップと、を含む、方法。
（付記９）
各サブキャリアにビット数を割り当てるステップは、
算出された各サブキャリアのビット数を量子化して、整数ビット数を取得するステップと、
前記整数ビット数と位相雑音に基づいて設定された所定閾値との比較結果に基づいて、前記整数ビット数を調整し、調整後のビット数を、割り当てられたビット数とするステップと、を含む、付記８に記載の方法。
（付記１０）
前記位相雑音に基づいて前記所定閾値を設定するステップ、をさらに含む、付記９に記載の方法。
（付記１１）
前記所定閾値を設定するステップは、
前記位相雑音によるコンステレーションの回転角度、及び該サブキャリアに対応するコンステレーションにおけるコンステレーション点の移動可能な最大所定距離に基づいて、前記コンステレーションにおけるコンステレーション点と円心との最遠距離を算出するステップと、
最遠距離と変調フォーマットとの対応関係、及び前記最遠距離に基づいて、前記変調フォーマットを設定し、設定された前記変調フォーマットに対応するビット数を前記所定閾値とするステップと、を含む、付記１０に記載の方法。
（付記１２）
前記位相雑音に基づいて、各サブキャリアに割り当てられた電力を調整するステップ、をさらに含む、付記８に記載の方法。
（付記１３）
調整前の電力に対する調整後の電力の比は
(外４)
2018085717.tif 000006
であり、θは前記位相雑音による該サブキャリアのコンステレーションの回転角度を表し、Ｒは前記サブキャリアに対応するコンステレーションにおけるコンステレーション点と円心との最遠距離を表し、ｒ１は調整前の前記サブキャリアのコンステレーションにおけるコンステレーション点の周辺の信号の分布半径を表す、付記１２に記載の方法。
【図１】
2018085717.tif 000009
【図２】
2018085717.tif 000010
【図３】
2018085717.tif 000011
【図４】
2018085717.tif 000012
【図５（Ａ）】
2018085717.tif 000013
【図５（Ｂ）】
2018085717.tif 000014
【図５（Ｃ）】
2018085717.tif 000015
【図６】
2018085717.tif 000016
【図７】
2018085717.tif 000017
【図８】
2018085717.tif 000018